(57)【要約】【課題】  開閉部材を開く操作が簡単であり、しかも、開閉部材のロックも簡単に行うことができるロック装置を提供すること。【解決手段】  互いに係合して開閉部材を閉塞状態にロックすることができる第１組の２つの係合部と、操作によって前記第１組の２つの係合部の互いの係合を解除させる操作部と、互いに係合して前記第１組の２つの係合部を係合解除位置で保持して前記開閉部材が開放可能な状態とすると共に前記開閉部材が開放された際に互いの係合を解除する第２組の２つの係合部と、操作された前記操作部を操作前の位置に復帰させる操作部復帰手段と、前記開閉部材が開放されたときに前記２組の２つの係合部を所定位置に復帰させる係合部復帰手段と、前記開閉部材が閉塞されたときに前記第１組の２つの係合部を自動で互いに係合させる係合手段とを備えることを特徴とする。【選択図】図４
2006233500.tif 000002
【特許請求の範囲】
【請求項１】
互いに係合して開閉部材を閉塞状態にロックすることができる第１組の２つの係合部と、操作によって前記第１組の２つの係合部の互いの係合を解除させる操作部と、互いに係合して前記第１組の２つの係合部を係合解除位置で保持して前記開閉部材が開放可能な状態とすると共に前記開閉部材が開放された際に互いの係合を解除する第２組の２つの係合部と、操作された前記操作部を操作前の位置に復帰させる操作部復帰手段と、前記開閉部材が開放されたときに前記２組の２つの係合部を所定位置に復帰させる係合部復帰手段と、前記開閉部材が閉塞されたときに前記第１組の２つの係合部を自動で互いに係合させる係合手段とを備えることを特徴とする開閉部材のロック装置。
【請求項２】
前記第１組の２つの係合部のうちの一方の係合部と、前記操作部と、前記第２組の２つの係合部のうちの一方の係合部と、前記操作部復帰手段と、前記係合部復帰手段と、前記係合手段とは一のブロックに設けられ、前記第１組の２つの係合部のうちの他方の係合部と、前記２つの係合部のうちの他方の係合部とは他のブロックに設けられていることを特徴とする請求項１に記載の開閉部材のロック装置。
【請求項３】
前記操作部の操作を阻止する操作阻止手段と、前記操作阻止手段による前記操作部の操作阻止を解除する操作子とが前記一のブロックに設けられていることを特徴とする請求項２に記載の開閉部材のロック装置。
【請求項４】
前記開閉部材は、収納ボックス本体に取り付けられた引出しであり、前記一のブロックは前記引出しの前面に取り付けられ、前記他のブロックは前記収納ボックス本体の側面に取り付けられるように構成されていることを特徴とする請求項２又は３に記載の開閉部材のロック装置。
【請求項５】
前記開閉部材は、収納ボックス本体に取り付けられた片開き式の扉であり、前記一のブロックは前記扉に取り付けられ、前記他のブロックは前記収納ボックス本体に取り付けられるように構成されていることを特徴とする請求項２又は３に記載の開閉部材のロック装置。
【請求項６】
前記開閉部材は、収納ボックス本体に取り付けられた両開き式の扉であり、前記一のブロックは一方の扉の前面に取り付けられ、前記他のブロックは他方の扉の前面にに取り付けられるように構成されていることを特徴とする請求項２又は３に記載の開閉部材のロック装置。
【発明の詳細な説明】
【技術分野】
【０００１】
本発明は、開閉部材のロック装置に関する。
【背景技術】
【０００２】
特に、幼児がいる家庭における家具、例えば、箪笥，机等の収納ボックスの引出しは、幼児によって開けられないように、ロック装置が設けられている（例えば、特許文献１）。
【０００３】
特許文献１のロック装置では、枠体に係止爪を備えた第１の器具を取り付け、引出しに、挿入穴を備え、該穴の奥に係止爪を形成した操作舌片を備えた第２の器具を取り付け、第１の器具の係止爪を第２の器具の穴に差込み、該係止爪を第２の器具の係止爪に係合させることによって、引出しを枠体に係合させる。そして、引出しを開ける場合には、操作舌片を撓めることによって、両係合片の係合を解除し、その状態で引出しを開ける。
【特許文献１】登録実用新案第３０３９９８２号公報（図４および図５を参照）
【発明の開示】
【発明が解決しようとする課題】
【０００４】
ところで、上記特許文献１のロック装置では、係合の解除操作をしながら引出しを開く必要があり、それらを開く操作が煩雑である。また、引出しを閉める場合には、第１の器具の係止爪を第２の器具の穴に差込み、該係止爪を第２の器具の係止爪に係合させることによって、引出しを枠体に係合させる必要があるので、その作業は繁雑である。
【０００５】
本発明は、かかる問題点を解消するためになされたもので、開閉部材を開く操作が簡単であり、しかも、開閉部材のロックも簡単に行うことができるロック装置を提供することを目的としている。
【課題を解決するための手段】
【０００６】
請求項１記載の開閉部材のロック装置は、互いに係合して開閉部材を閉塞状態にロックすることができる第１組の２つの係合部と、操作によって前記第１組の２つの係合部の互いの係合を解除させる操作部と、互いに係合して前記第１組の２つの係合部を係合解除位置で保持して前記開閉部材が開放可能な状態とすると共に前記開閉部材が開放された際に互いの係合を解除する第２組の２つの係合部と、操作された前記操作部を操作前の位置に復帰させる操作部復帰手段と、前記開閉部材が開放されたときに前記２組の２つの係合部を所定位置に復帰させる係合部復帰手段と、前記開閉部材が閉塞されたときに前記第１組の２つの係合部を自動で互いに係合させる係合手段とを備えることを特徴とする。ここで、開閉部材の例としては引出しや扉等があげられる。
【０００７】
請求項２記載の開閉部材のロック装置は、請求項１記載のロック装置において、前記第１組の２つの係合部のうちの一方の係合部と、前記操作部と、前記第２組の２つの係合部のうちの一方の係合部と、前記操作部復帰手段と、前記係合部復帰手段と、前記係合手段とは一のブロックに設けられ、前記第１組の２つの係合部のうちの他方の係合部と、前記２つの係合部のうちの他方の係合部とは他のブロックに設けられていることを特徴とする。
【０００８】
請求項３記載の開閉部材のロック装置は、請求項２記載のロック装置において、前記操作部の操作を阻止する操作阻止手段と、前記操作阻止手段による前記操作部の操作阻止を解除する操作子とが前記一のブロックに設けられていることを特徴とする。
【０００９】
請求項４記載の開閉部材のロック装置は、請求項２又は３記載の開閉部材のロック装置において、前記開閉部材は、収納ボックス本体に取り付けられた引出しであり、前記一のブロックは前記引出しの前面に取り付けられ、前記他のブロックは前記収納ボックス本体の側面に取り付けられるように構成されていることを特徴とする。
【００１０】
請求項５記載の開閉部材のロック装置は、請求項２又は３記載の開閉部材のロック装置において、前記開閉部材は、収納ボックス本体に取り付けられた片開き式の扉であり、前記一のブロックは前記扉に取り付けられ、前記他のブロックは前記収納ボックス本体に取り付けられるように構成されていることを特徴とする。
【００１１】
請求項６記載の開閉部材のロック装置は、請求項２又は３に記載の開閉部材のロック装置において、前記開閉部材は、収納ボックス本体に取り付けられた両開き式の扉であり、前記一のブロックは一方の扉の前面に取り付けられ、前記他のブロックは他方の扉の前面にに取り付けられるように構成されていることを特徴とする。
【発明の効果】
【００１２】
請求項１から６に記載の発明によれば、開閉部材を閉塞状態にロックすることができる第１組の２つの係合部の互いの係合を解除させた後に、第２組の２つの係合部によって第１組の２つの係合部が係合解除位置で保持させることができるので、開閉部材の開放操作が簡単に行えることになる。一方、係合手段によって開閉部材が閉塞される際に第１組の２つの係合部を自動で互いに係合させるので、開閉部材のロックも簡単に行えることになる。また、請求項３の発明によれば、操作阻止手段によって操作部の操作が阻止され、開閉部材を開放するには、操作子を操作した後に操作部を操作しなければならないので、特に、幼児等にむやみに開けて欲しくない開閉部材のロックに好適なものとなる。
【発明を実施するための最良の形態】
【００１３】
［第１の実施の形態］
図１は本発明に係る開閉部材のロック装置を引出しに適用した状態を示した斜視図、図２はロック装置の内部機構を示した分解斜視図，図３はロック装置の１つのブロック内部を示した正面図，図４はロック装置のロック状態を示した正面図，図５はロック装置の第１組の２つの係合部の係合解除状態を示した正面図，図６はロック装置の第１組の係合部の係合解除保持状態を示した正面図である。
【００１４】
このロック装置１は、図１に示すように、収納ボックス本体２の側面に取り付けられる雄形ブロック３と、引出し４の前面に取り付けられる雌形ブロック５とから構成されている。両ブロック３，５はそれ自体として動作しない固定ブロックとなっている。
【００１５】
雄形ブロック３には、引出し４側に向けて突出する嵌挿部６が設けられている。嵌挿部６の下部には係合部（第１組の係合部）７ａが形成され、一方、嵌挿部６の上部には係合部（第２組の係合部）７ｂが形成されている。このうち係合部７ａの前面側は前方に向けて下り勾配を持つ傾斜面となっている。また、係合部７ａの奥側には係合溝（図示せず）が形成されている。
【００１６】
雌形ブロック５には、図２に示すように、上記係合溝に上方から嵌合可能な係合片（第１組の係合部）８と、その係合溝と係合片８との係合を解除させる操作部９と、その操作部８の操作を阻止するストッパ部材（操作阻止手段）１０と、そのストッパ部材１０による操作部９の操作阻止を解除させる操作ボタン（操作子）１１と、上記係合部７ａに係合して係止片８を退避位置に保持する係合部材（第２組の係合部）１２と、操作された操作部９を操作前位置に復帰させるばね（押しばね）１９と、係合部７ａとの係合が解除された後に係合部材１２を所定位置に復帰させるばね（押しばね）１５と、上記係合溝と係合片８とを係合させる係合手段（係合部７ａの前側傾斜面等）とが設けられている。
【００１７】
係合片８は、上下方向に往復動作可能なスライド板１３の雄形ブロック３側の側面に設けられている。この係合片８が設けられたスライド板１３の他方の側面には、下端面に達する矩形の切欠き１４が形成されている。また、スライド板１３は上記ばね１５によって下方に付勢されている。
【００１８】
操作部９は、上下方向に往復動作可能なスライド板１６の前面に設けられている。この操作部９が設けられたスライド板１６は上記スライド板１３に隣接して設けられている。このスライド板１６には、スライド板１３側の側面に、上記切欠き１４の上縁に係合する突起１７が形成されている。また、スライド板１６の他方の側面に突片１８が形成されている。この突片１８は上記ストッパ部材１０に係合可能となっている。なお、スライド板１３は上記ばね１９によって下方に付勢されている。
【００１９】
ストッパ部材１０は引出し４の幅方向に往復動作可能となるように雌形ブロック５に取り付けられている。ストッパ部材１０には上面に起立部２０が形成されている。起立部２０のスライド板１６側の面は、スライド板１６側に向けて下り勾配を持つ傾斜面２１となっている。さらに、ストッパ部材１０のスライド板１６側の端部はその上部が三角状に切り欠かれ、その切欠き部分は、スライド板１６側に向けて下り勾配を持つ傾斜面２２となっている。なお、このストッパ部材１０はばね（押しばね）２３によってスライド板１６側に向けて付勢されている。
【００２０】
操作ボタン１１は上下方向に往復動作可能となっている。この操作子ボタン１１の下端には、上記ストッパ部材１０の傾斜面２１と相補的形状を持つ傾斜面２４が形成されている。その結果、操作ボタン１１を指で下方に押すと、傾斜面２１と傾斜面２４とが摺接し、ストッパ部材１０がばね２３の付勢力に抗してスライド板１６から離反する方向に動作する。一方、操作ボタン１１から指を離すと、傾斜面２４と傾斜面２１とが摺接し、ストッパ部材１０がばね２３の付勢力によってスライド板１６から近接する方向に動作する。これによって操作ボタン１１が雌形ブロック５に対して押し上げられる。
【００２１】
係合部材１２は２股状の弾性部材によって構成されている。この係合部材１２はスライド板１３の雄形ブロック３寄りに設けられている。係合部材１２は、少なくとも雄形ブロック３側の棒状部分が弾性を有しており、その先端部には係合爪２５を備えている。
【００２２】
なお、雌形ブロック５の背板には、上記雄形ブロック３の嵌挿部６を受容する孔２６が形成されている。そして、その孔２６に、係合片８および係合部材１２の係合爪２５が臨むようにしてスライド板１３が配置される。また、スライド板１３の切欠き１７にスライド板１６の突起１７が位置するようにされている。さらに、スライド板１６の突片１８に対応するようにしてストッパ部材１０が配置されている。また、該ストッパ部材１０の傾斜面２１に傾斜面２４が摺接するように操作ボタン１１が配置される。さらに、操作部９と操作ボタン１１は、雌形ブロック５に形成された孔２７，２８からそれぞれ外部に突出するように配置される。
【００２３】
次に、このロック装置の動作を以下に説明する。
引出し４を開いた際には雌形ブロック５側の部品は図３に示す状態にある。この状態から引出し４を閉めると、雌形ブロック５の孔２６に雄形ブロック３の嵌挿部６が挿入される。すると、嵌挿部６の係合部７ａ前面の傾斜面が係合片８の下端に突き当たり、嵌挿部６が孔２６に深く入るに連れてスライド板１３がばね１５の付勢力に抗して上動する。そして、係合部７ａが係合片８を越えた所で、係合片８がばね１５の付勢力によって元の位置に戻り、係合部７ａの直後の上記係合溝に落とし込まれる。これによって、引出し４が収納ボックス本体２に係止される。
【００２４】
一方、閉じた状態の引出し４を開ける場合には、先ず、操作ボタン１１を下方に押す。すると、先ず、傾斜面２４と傾斜面２１の摺接によってストッパ部材１０がばね２３の付勢力に抗してスライド板１６から離反する方向に動作して、ストッパ部材１０とスライド板１６の突片１８との係合が解除される。この状態で、操作部９を上方に操作し、スライド板１６をばね１９の付勢力に抗して上動させる。すると、突起１７がスライド板１３の切欠き１４の上縁を下方から押圧し、スライド板１３ひいては係合部材１２が上動する。そして、係合片８が上記係合溝から離脱し、係合部７ａとの係合が解かれる。その後に、係合部材１２の係合爪２５が嵌挿部６の係合部７ｂを弾性変形しながら越え、嵌挿部６の上方に達する。この時、スライド板１６の突片１８がストッパ部材１０の傾斜面２２よりも上に来る。
【００２５】
この状態で、操作部９を解放すると、スライド板１６がばね１９の付勢力によって下動して元の状態に復帰する。それに伴って、スライド板１３もばね１５の付勢力によって元の状態に復帰しようとする。しかし、係合部材１２の爪２５が雄形ブロック３の嵌挿部６の係合部２５の上面に係合するので、スライド板１３は途中で停止する。この時、係合片８は嵌挿部６の係合部７よりも上方に位置し、係合片８と係合部７との係合は解かれた状態にある。上記係合溝との係合する。したがって、引出し４を収納ボックス本体２から引き出す際に、抵抗なく引出し４を引き出すことができる。
【００２６】
なお、上記操作手順において、操作ボタン１１を操作部９に先立って解放すると、ストッパ部材１０がばね２３の付勢力によってスライド板１６に近接する方向に動作し、スライド板１６の突片１８がストッパ部材１０の傾斜面２２よりも上にあるので、その傾斜面２２がスライド板１６の下動を邪魔することになるが、突片１８がストッパ部材１０の傾斜面２２に当たり、ストッパ部材１０をばね２３の付勢力に抗してスライド板１６から離反する方向に退けるので、スライド板１６は正常に元の状態に復帰する。
【００２７】
｛第１の実施の形態の変形例］
図７および図８は、上記実施の形態で示したロック装置を冷蔵庫等の扉に適用する場合の変形例を示しており、上記した各要素（部品）と対応する要素に、同一の符号を付して、その詳細な説明を省略する。
このロック装置では、スライド板１３、ストッパ部材１０および操作ボタン１１を縦に並べ、その表面側にスライド板１６を配置したものである。そして、このロック装置は、これらが設けられた雌形ブロック５を扉に取り付け、一方、係合片７ａおよび係合部７ｂが設けられた雄形ブロック３を収納ボックス本体に取り付けるようにしたものである。
【００２８】
〔第２の実施の形態〕
図９は本発明に係る扉等の開閉部材のロック装置の一実施の形態における内部機構を示したもので、扉が閉塞状態にロックされた状態の図、図１０は操作阻止手段による操作阻止が解除された状態を示した図、図１１は第２組の２つの係合部が係合された状態を示した図、図１２は固定ブロック及び回動ブロックの斜視図である。
【００２９】
このロック装置は、両開き式の一方の扉１０３に取り付けられる回動ブロック３０と、他方の扉１０４に取り付けられる固定ブロック３１とを備える。
このうち固定ブロック３１にはピン（第１組及び第２組の係合部）３２ｆが付設されている。このピン３２ｆは、図１２に示すように、円錐台状の頭部３２ｇを備える。また、固定ブロック３１には突子（第２組の係合部）３６ｂが設けられている。この突子３６ｂは、その先端部に、突子３６ｂの動作方向及びその動作方向に直交する方向いずれに対しても傾斜する傾斜部を有している。この突子３６ｂは回動ブロック３１に離接する方向に往復動作可能となっており、ばね４０によって固定ブロック３１から突出する方向に付勢されている。
一方、回動ブロック３０は軸４１を中心に回動可能となるように扉１０３に取り付けられている。この回動ブロック３０にはそれぞれトーションばね（図示せず）が設けられ、このトーションばねによって、回動ブロック３０は図９上で反時計方向に付勢されている。この回動ブロック３０には、上記ピン３２ｆと互いに係合して両扉を閉塞状態にロックする係合板（第１組の係合部）３２と、ピン３２ｆと係合板３２との係合を解除させる操作部３５と、操作部３５の操作を阻止する操作阻止手段３３と、操作阻止手段３３による操作部３５の操作阻止を解除する操作子３４と、上記突子３６ｂと係合し操作部３５による解除状態を保持させる係合爪（第２組の係合部）３６ａと、互いに係合が解除された後に突子３６ｂ及び係合爪３６ａを所定位置に復帰させる係合部復帰手段（上記トーションばね）と、操作された操作部３５を操作前位置に復帰させる操作部復帰手段（上記トーションばね）と、ピン３２ｆと係合板３２とを係合させる係合手段（上記トーションばね、傾斜面３７ａ等）とが設けられている。
【００３０】
係合板３２は、回動ブロック３１に対して出没する方向に往復動作可能となるように回動ブロック３０に取り付けられている。すなわち、係合板３２には、動作方向に延在する２つの長孔３２ｂ，３２ｂが形成されている。この２つの長孔３２ｂ，３２ｂには、回動ブロック３０に付設されたピン３２ｃ，３２ｃがそれぞれ挿入されている。これによって、係合板３２は所定の方向で往復動作可能となっている。また、係合板３２の後端と回動ブロック３０の固定部との間にはばね（引きばね）３８が設けられている。このばね３８は、係合部材３２を回動ブロック３０に没入する方向に付勢する働きをする。また、係合板３２には一辺に矩形状の切欠き３２ｄが形成されている。さらに、係合板３２において、切欠き３２ｄよりも先端側に位置する部分が係合爪３２ｅを構成している。係合爪３２ｅとばね３８とは、ピン３２ｆと係合爪３２ｅとの係合を確実なものとするためのものである。すなわち、ピン３２ｆの頭部３２ｇの下側に上記両トーションばねの作用によって係合爪３２ｅが潜り込んだ際に、ばね３８の付勢力によって、ピン３２の頭部３２ｇの下側の軸部分と係合爪３２ｅとを確実に係合させるようになっている。
【００３１】
操作阻止手段３３は、回動ブロック３０側に設けられ上記係合板３２と平行な方向で往復動作可能な係止部材３３と、固定ブロック３１側に設けられ係止部材３３に当接可能なピン３２ｆの頭部３２ｇとを備えている。係止部材３３には、動作方向に延在する２つの長孔３３ｃ，３３ｃが形成されている。この２つの長孔３３ｃ，３３ｃには、回動ブロック３０に付設されたピン３３ｄ，３３ｄがそれぞれ挿入されている。これによって、係止部材３３は所定の方向で往復動作可能となっている。また、係止部材３３の後端と回動ブロック３０の固定部との間にはばね（押しばね）３９が設けられている。このばね３９は、係止部材３３をその先端が回動ブロック３０から突出する方向に付勢する働きをする。係止部材３３の先端部には、係止部材３３の動作方向及びその動作方向に直交する方向いずれに対しても傾斜する傾斜部３３ｅが形成されている。なお、突出状態にある係止部材３３の一辺は、ロック装置が図９に示す状態にあるときに、ピン３２ｆの頭部３２ｇに当接して回動ブロック３０を回動不能状態に保持する働きをする。
【００３２】
操作子３４は、ばね３９の付勢力に抗して係止部材３３を回動ブロック３０に没入する方向に動作させることによって、係止部材３３の一辺とピン３２ｆの頭部３２ｇとの当接を解除させる働きをする。この働きによって、係止部材３３の一辺とピン３２ｆの頭部３２ｇとの係合が解除され、操作部３５の操作が可能となる。
【００３３】
操作部３５は、操作子３４による操作阻止が解除された状態で、上記トーションばねの付勢力に抗して回動ブロック３０を軸４１を中心に回転させることによって、ピン３２ｆの頭部３２ｇの下側の軸部分と係合爪３２ｅとの係合を解除させる働きをする。
【００３４】
係合爪３６ａと突子３６ｂとは、操作部３５を操作して回動ブロック３０を軸４１を中心に回転させた際に、互いに係合して扉が開閉可能となる位置に回動ブロック３０を保持する働きをする。
【００３５】
係合手段３７は、回動ブロック３０に形成された傾斜面３７ａと、回動ブロック３０と固定部（例えば回動ブロック３０の裏側に設けられる台座）との間に掛けられた上記トーションばねとを備えている。傾斜面３７ａは、回動ブロック３０の軸に直交する面に対して傾斜している。この傾斜面３７ａは、回動ブロック３０において固定ブロック３１に重畳される部分の表面に形成されている。そして、この傾斜面３７ａは、扉１０３が先に閉まった状態で扉１０４を閉じた際に、扉１０４の端部によって押圧されて回動ブロック３０を扉１０４の軌道から逃がす（退避させる）働きをする。また、トーションばねは、扉が開放された際に、回動ブロック３０を初期の位置（図９の位置）に戻す働きをする。
【００３６】
次に、ロック装置の全体的な動作を説明する。
扉が閉塞されている状態では、ロック装置は図９に示す状態にある。この状態から扉１０３，１０４の一方又は双方を開ける場合には、まず、操作子３４を操作してピン３２ｆの頭部３２ｇから係止部材３３を退行させる。この状態で、操作部３５に指を掛けて上記トーションばねの付勢力に抗して回動ブロック３０を軸４１を中心に回転させる。すると、ピン３２ｆの頭部３２ｇの下側の軸部分と係合爪３２ｅとの係合が解除されると共に、係合爪３６ａと突子３６ｂとが互いに係合する。この状態で、扉１０３，１０４の一方又は双方を開く。すると、回動ブロック３０は、図示しないトーションばねの付勢力により、軸４１を中心に先程とは逆の方向に回転して初期状態に戻る。
【００３７】
また、扉を閉める際には、次のように動作する。
例えば、扉１０４が既に閉まっていて、その後に扉１０３を閉める場合には、扉１０４の端部が固定ブロック３１の段部の下側部分に乗る。このとき、係合爪３２ｅがピン３２ｆの頭部３２ｇの傾斜面を倣う（摺動する）。これによって、係合板３２はばね３８の付勢力に抗して突出側に一旦移動する。そして、係合板３２は、係合爪３２ｅがピン３２ｆの頭部３２ｇを超えた所で、ばね３８の付勢力により回動ブロック３０に没入する方向に移動する。これによって、係合爪３２ｅがピン３２ｆの頭部３２ｇに係合する。また、既に回動ブロック３０から突出した状態にある係止部材３３の一辺は、この時、ピン３２ｆの頭部３２ｇに当接する。
一方、扉１０３が既に閉まっていて、その後に扉１０４を閉める場合には、扉１０４の端部が傾斜面３７ａを押す。これによって、回動ブロック３０は図示しないトーションばねの付勢力に抗して扉１０４の軌道から逃げる方向に回転する。そして、扉１０３が完全に閉まると、回動ブロック３０はトーションばねの付勢力によって元の位置に戻る。このとき、係止部材３３の傾斜部３３ｅがピン３２ｆの頭部３２ｇに当たり、係止部材３３は一旦回動ブロック３０に埋没する方向に動作する。そして、係止部材３３は、その先端がピン３２ｆの頭部３２ｇの所を超えたときに、ばね３９の付勢力により回動ブロック３０から突出する方向に動作して一辺がピン３２ｆの頭部３２ｇに当接する。
【００３８】
上記した実施の形態では、ロック装置を、両開き扉に適用した例を示したが、片開き扉に使用することもできる。
【００３９】
〔第３の実施の形態〕
図１３は本発明に係る扉等の開閉部材のロック装置の一実施の形態を示したもので、扉が閉塞状態にロックされた状態の図、図１４は一方の回動ブロックを示した図である。また、図１５は第２組の２つの係合部の係合状態を示した図である。
【００４０】
この実施形態のロック装置は、両開き式の一方の扉１０５に取り付けられる回動ブロック５０と、他方の扉１０６に取り付けられる回動ブロック５１とを備えてなる。回動ブロック５０，５１はそれぞれ軸５０ａ，５１ａを中心に回転する。また、回動ブロック５０，５１にはそれぞれトーションばね（図示せず）が設けられ、回動ブロック５０，５１は図１３の反時計方向に付勢されている。回動ブロック５０には、回動ブロック５１の下面（第１の係合部）と互いに係合して両扉を閉塞状態にロックする係合板（第１組の係合部）５２と、回動ブロック５１の下面と係合板５２との係合を解除させる操作部５３，５４と、操作部５３，５４による解除状態を保持させる解除状態保持手段５５と、回動ブロック５１の下面と係合板５２とを係合させる係合手段とが設置されている。
【００４１】
係合板５２は、軸５２ａを中心に回動ブロック５０の表裏方向に回動可能に構成されている。この係合板５２の自由端部は回動ブロック５０から突出している。この突出部分の先端には係合爪５２ｂが形成されている。また、係合板５２と回動ブロック５０の固定部との間にはばね（引きばね）５２ｃが掛けられている。このばね５２ｃは、係合板５２を回動ブロック５０の表面側に向けて付勢する。係合爪５２ｂとばね５２ｃとは、固定ブロック５１の下面と係合板５２との係合を確実なものとするためのものである。すなわち、回動ブロック５１の下側には、係合爪５２ｂと係合可能な係合溝（凹部）５２ｄが形成されており、係合板５２が上記両トーションばねの作用によって回動ブロック５１の下側に潜り込んだ際に、ばね５２ｃの付勢力によって、係合爪５２ｂが係合溝５２ｄと係合されるようになっている。なお、係合爪５２ｂの先端部には、係合爪５２ｂが回動ブロック５１の下側に潜り込みやすくなるように傾斜面が形成されている。
【００４２】
操作部５３は上記係合板５２に設けられている。操作部５３は回動ブロック５０から突出している。この操作部５３は、係合板５２の係合爪５２ｂを係合溝５２ｄから離脱させる働きをする。すなわち、操作部５３を固定ブロック５０の表面側から裏面側に向けて押し込んだ際に、ばね５２ｃの付勢力に抗して、係合爪５２が固定ブロック５０の裏面側に移動し、係合爪５２ｂが係合溝５２ｄから離脱する。
また、操作部５４は回動ブロック５０の本体外周に形成されている。この操作部５４はブロック本体自体であってもよい。つまり、回動ブロック５０を図１３の時計方向に回転操作できるものであればどのような形状、構造のものであってもよい。ただし、操作部５３と同時に操作できるものであることが必要である。
【００４３】
解除状態保持手段５５は、回動ブロック５０の本体外周に形成された係合爪（第２組の係合部）５５ａと、回動ブロック５１に形成された係合段部（第２組の係合部）５５ｂとを備えてなる。係合爪５５ａ自体又は係合爪５５ａが形成される部分は弾性を持ち、弾性変形が可能となっている。また、係合爪５５ａが形成される部分にはカム面５７が形成されている。このカム面５７は、互いに係合状態にある回動ブロック５０，５１のうち回動ブロック５０を図１３の時計方向に回転させた際に、他方のブロック５１に摺接してその回動ブロック５１を時計方向に回転させる働きをする。その際に係合爪５５ａは弾性変形を経て係合段部５５ｂの箇所を越え、この状態で操作部５４から手を離すと、上記トーションばねの作用によって、両回動ブロック５０，５１が図１３の反時計方向に回転し、係合爪５５ａと係合溝５５ｂとが互いに係合する。
【００４４】
係合手段は、回動ブロック５０，５１に形成された傾斜面５６ａ，５６ｂと、上記両トーションばねとを備えてなる。傾斜面５６ａ，５６ｂは、扉の表面に平行な面に対して傾斜している。この傾斜面５６ａ，５６ｂは、扉が開放された状態では、上記トーションばねの作用によって、扉の自由端から突出した位置にある。そして、扉を閉じた際に、扉の自由端部によって押圧されて、最初に閉じられた扉に付設された回動ブロック５０又は５１を、上記トーションばねの付勢力に抗して、後に閉じられた扉の軌道から一旦逃がす（退避させる）働きをする。
【００４５】
上記した実施の形態では、ロック装置を、両開き扉に適用した例を示したが、片開き扉に使用することもできる。
【００４６】
以上、本発明の実施形態について説明したが、本発明は、かかる実施形態に限定されるものではなく、その要旨を逸脱しない範囲で種々の変形が可能である。
例えば、第１の実施形態及びその変形例において、スライド板１６の表壁を色分けし、操作部９がブロック５に対して一方向に移動した時と、ブロック５に対して他方向に移動した時とで、孔２７に露出して見える色を変えるようにしてもよい。このようにすれば、色でロック装置の状態を簡単に知ることができる。
【図面の簡単な説明】
【００４７】
【図１】第１実施形態に係る開閉部材のロック装置の斜視図である。
【図２】図１のロック装置の内部機構を示した分解斜視図である。
【図３】図１のロック装置の１つのブロック内部を示した正面図である。
【図４】図１のロック装置のロック状態を示した正面図である。
【図５】図１のロック装置の第１組の２つの係合部の係合解除状態を示した正面図である。
【図６】図１のロック装置の第２組の係合部の係合状態を示した正面図である。
【図７】第１実施形態に係る開閉部材のロック装置の変形例を示した分解斜視図である。
【図８】図７のロック装置の内部機構を示した正面図である。
【図９】第２実施形態に係る開閉部材の係合ロック装置の内部機構を示した図である。
【図１０】図９のロック装置の操作阻止手段による操作阻止を解除した状態を示した図である。
【図１１】図９のロック装置の第２組の係合部の係合状態を示した図である。
【図１２】図９のロック装置を示した斜視図である。
【図１３】第３実施形態に係るロック装置を示したもので、扉が閉塞状態にロックされた状態の図である。
【図１４】図１３のロック装置の一方の回動ブロックを示した図である。
【図１５】図１３のロック装置の第２組の２つの係合部の係合状態を示した図である。
【符号の説明】
【００４８】
２  収納ボックス本体
４  引出し（開閉部材）
３，５，３０，３１，５０，５１  ブロック
７ａ  係合部（第１組の係合部）
８  係合片（第１組の係合部）
７ｂ  係合部（第２組の係合部）
９  操作部
１０  ストッパ部材（操作阻止手段）
１２  係合部材（第２組の係合部）
１５  ばね（係合部復帰手段）
１９  ばね（操作部復帰手段）
３２  係合板（第１組の係合部）
３２ｆ  ピン（第１組及び第２組の係合部）
３６ａ  係合爪（第２組の係合部）
３６ｂ  突子（第２組の係合部）
５２  係合板５２（第１組の係合部）
５３，５４  操作部
５５ａ  係合爪（第２組の係合部）
５５ｂ  係合段部（第２組の係合部）
１０３，１０４，１０５，１０６  扉
【図１】
2006233500.tif 000003
【図２】
2006233500.tif 000004
【図３】
2006233500.tif 000005
【図４】
2006233500.tif 000006
【図５】
2006233500.tif 000007
【図６】
2006233500.tif 000008
【図７】
2006233500.tif 000009
【図８】
2006233500.tif 000010
【図９】
2006233500.tif 000011
【図１０】
2006233500.tif 000012
【図１１】
2006233500.tif 000013
【図１２】
2006233500.tif 000014
【図１３】
2006233500.tif 000015
【図１４】
2006233500.tif 000016
【図１５】
2006233500.tif 000017